(57)【要約】【課題】機器情報の情報量を低減するための設備機器の機器情報管理システム、設備機器の機器情報取得装置および機器情報の機器情報量削減方法を提供する。【解決手段】設備機器の機器情報管理システム８００は、設備機器１の時系列情報を含む機器情報を管理する機器情報管理システム８００であって、取得手段１８，１９と、比較手段１１と、蓄積手段１５と、判断手段１１とを備える。取得手段１８，１９は、機器情報を取得する。比較手段１１は、現在の時系列情報と直前の時系列情報とを比較する。蓄積手段１５は、機器情報を蓄積可能である。判断手段１１は、現在の時系列情報と直前の時系列情報とが非同一の場合に、現在の機器情報を蓄積手段１５に蓄積すると判断する。さらに、判断手段１１は、現在の時系列情報と直前の時系列情報とが同一の場合には、現在の機器情報を蓄積手段１５に蓄積しないと判断する。【選択図】　　　　図１
2004036948.tif 000002
【特許請求の範囲】
【請求項１】
設備機器（１）の時系列情報を含む機器情報を管理する機器情報管理システム（８００）であって、
前記機器情報を取得する取得手段（１８，１９）と、
現在の前記時系列情報と直前の前記時系列情報とを比較する比較手段（１１）と、
前記機器情報を蓄積可能な蓄積手段（１５）と、
前記現在の時系列情報と前記直前の時系列情報とが非同一の場合に現在の前記機器情報を前記蓄積手段（１５）に蓄積すると判断し、前記現在の時系列情報と前記直前の時系列情報とが同一の場合には現在の前記機器情報を前記蓄積手段（１５）に蓄積しないと判断する判断手段（１１）と、
を備える機器情報管理システム（８００）。
【請求項２】
前記機器情報が、さらに前記時系列情報の取得される時刻情報を含む、
請求項１に記載の機器情報管理システム（８００）。
【請求項３】
前記蓄積手段（１５）に蓄積される前記機器情報が外部に対して送信される、請求項１または２に記載の機器情報管理システム（８００）。
【請求項４】
前記判断手段（１１）は、前記現在の時系列情報と前記直前の時系列情報とが非同一の場合に前記現在の機器情報を前記蓄積手段（１５）に対して送信すると判断し、前記現在の時系列情報と前記直前の時系列情報とが同一の場合には前記現在の機器情報を前記蓄積手段（１５）に対して送信しないと判断する、
請求項１または２に記載の機器情報管理システム（８００）。
【請求項５】
前記機器情報が取得される時刻の間隔が一定である、
請求項１から４のいずれかに記載の機器情報管理システム（８００）。
【請求項６】
前記機器情報を圧縮する圧縮手段をさらに備える、
請求項１から５のいずれかに記載の機器情報管理システム（８００）。
【請求項７】
設備機器（１）の時系列情報を含む機器情報を管理するための機器情報取得装置（１０）であって、
前記機器情報を取得する取得手段（１８，１９）と、
現在の前記時系列情報と直前の前記時系列情報とを比較する比較手段（１１）と、
前記機器情報を蓄積可能な蓄積手段（１５）と、
前記現在の時系列情報と前記直前の時系列情報とが非同一の場合に現在の前記機器情報を蓄積手段（１５）に蓄積すると判断し、前記現在の時系列情報と前記直前の時系列情報とが同一の場合には現在の前記機器情報を蓄積手段（１５）に蓄積しないと判断する判断手段（１１）と、
を備える機器情報取得装置（１０）。
【請求項８】
前記蓄積手段（１５）に蓄積される前記機器情報を外部に対して送信する送信手段（１４）をさらに備える、
請求項７に記載の機器情報取得装置（１０）。
【請求項９】
設備機器（１）の時系列情報を含む機器情報を管理するための機器情報量低減方法であって、
前記機器情報を取得する第１ステップと、
現在の前記時系列情報と直前の前記時系列情報とを比較する第２ステップと、前記現在の時系列情報と前記直前の時系列情報とが非同一の場合に現在の前記機器情報を蓄積手段（１５）に蓄積すると判断し、前記現在の時系列情報と前記直前の時系列情報とが同一の場合には現在の前記機器情報を蓄積手段（１５）に蓄積しないと判断する第３ステップと、
を備える機器情報量低減方法。
【請求項１０】
設備機器（１）の時系列情報を含む機器情報を管理する機器情報管理システムであって、
前記機器情報を取得する取得手段（１８．１９）と、
前記取得手段（１８，１９）により取得される機器情報を蓄積する蓄積手段（１５）と、
前記蓄積手段に蓄積される機器情報を外部に対して送信可能な送信手段（１４）と、
前記蓄積手段に蓄積される或る時系列情報とその直前の時系列情報とを比較する比較手段（１１）と、
前記或る時系列情報と前記その直前の時系列情報とが非同一の場合に前記或る時系列情報を含む機器情報を前記外部に対して送信すると判断し、前記或る時系列情報と前記その直前の時系列情報とが同一の場合には前記或る時系列情報を含む機器情報を前記外部に対して送信しないと判断する判断手段（１１）と、
を備える機器情報管理システム（８００）。
【請求項１１】
設備機器（１）の時系列情報を含む機器情報を管理するための機器情報取得装置（１０）であって、
前記機器情報を取得する取得手段（１８，１９）と、
前記取得手段により取得される機器情報を蓄積する蓄積手段（１５）と、
前記蓄積手段に蓄積される機器情報を外部に対して送信可能な送信手段（１４）と、
前記蓄積手段に蓄積される或る時系列情報とその直前の時系列情報とを比較する比較手段（１１）と、
前記或る時系列情報と前記その直前の時系列情報とが非同一の場合に前記或る時系列情報を含む機器情報を前記外部に対して送信すると判断し、前記或る時系列情報と前記その直前の時系列情報とが同一の場合には前記或る時系列情報を含む機器情報を前記外部に対して送信しないと判断する判断手段（１１）と、
を備える機器情報取得装置（１０）。
【請求項１２】
設備機器（１）の時系列情報を含む機器情報を管理するための機器情報量低減方法であって、
前記機器情報を取得する第１ステップと、
取得された前記機器情報を蓄積する第２ステップと、
蓄積された或る時系列情報とその直前の時系列情報とを比較する第３ステップと、
前記或る時系列情報と前記その直前の時系列情報とが非同一の場合に前記或る時系列情報を含む機器情報を外部に送信すると判断し、前記或る時系列情報と前記その直前の時系列情報とが同一の場合には前記或る時系列情報を含む機器情報を外部に送信すると判断する第４ステップと、
を備える機器情報量低減方法。
【発明の詳細な説明】
【０００１】
【発明の属する技術分野】
本発明は、機器情報管理システム、機器情報取得装置および機器情報量低減方法、特に、設備機器の機器情報を管理するための機器情報管理システム、機器情報取得装置および機器情報量低減方法に関する。
【０００２】
【従来の技術】
従来から、設備機器（保冷庫、空気調和機など）を管理する設備機器の管理システムが提案されている。この管理システムでは、設備機器から時間の経過とともに機器情報を取得し、この機器情報の管理を行っている。例えば、本願出願人が先に提案している特願２００１−１４０６１２に示される保冷庫においては、庫内温度、保冷庫の状態変化などの機器情報を時間の経過に従って取得し、これらの機器情報の管理を情報管理センターなどで行っている。
【０００３】
【発明が解決しようとする課題】
ところで、これらの機器情報は、時間の経過とともに測定される時系列情報とこれら時系列情報の取得された時刻の情報とからなる。このため、機器情報の情報量は、
（個々の時点での情報量）×（機器情報の測定時点数）
となる。機器情報は頻繁に測定されているため、機器情報の測定時点数は大変多くなっている。このため、機器情報の情報量は、大変大きくなっている。その結果、設備機器の機器情報を管理するために膨大な記憶領域や長大な通信時間が必要となっている。
【０００４】
本発明の課題は、機器情報の情報量を低減するための機器情報管理システム、機器情報取得装置および機器情報量削減方法を提供することにある。
【０００５】
【課題を解決するための手段】
請求項１に係る機器情報管理システムは、設備機器の時系列情報を含む機器情報を管理する機器情報管理システムであって、取得手段と、比較手段と、蓄積手段と、判断手段とを備える。取得手段は、機器情報を取得する。比較手段は、現在の時系列情報と直前の時系列情報とを比較する。蓄積手段は、機器情報を蓄積可能である。判断手段は、現在の時系列情報と直前の時系列情報とが非同一の場合に、現在の機器情報を蓄積手段に蓄積すると判断する。さらに、判断手段は、現在の時系列情報と直前の時系列情報とが同一の場合には、現在の機器情報を蓄積手段に蓄積しないと判断する。
【０００６】
ここでは、判断手段は、現在の時系列情報と直前の時系列情報とが非同一の場合に蓄積手段に現在の機器情報を蓄積すると判断する。また、判断手段は、現在の時系列情報と直前の時系列情報とが同一の場合には蓄積手段に現在の機器情報を蓄積しないと判断する。つまり、判断手段は、現在の時系列情報が直前の時系列情報と比べて変化した場合に蓄積手段に現在の機器情報を蓄積すると判断する。そして、判断手段は、現在の時系列情報が直前の時系列情報と比べて変化がない場合には蓄積手段に現在の機器情報を蓄積しないと判断する。このため、直前の時系列情報と比べて変化がある時系列情報を含む機器情報のみが蓄積手段に蓄積される。その結果、設備機器の機器情報の情報量が低減される。
【０００７】
請求項２に係る機器情報管理システムは、請求項１に記載の機器情報管理システムであって、機器情報が、さらに時系列情報の取得される時刻情報を含む。
ここでは、機器情報が時系列情報の取得される時刻情報を含む。つまり、時系列情報が取得された時刻が明らかになる。このため、時系列情報の推移を把握する確実性が高まる。
【０００８】
請求項３に係る機器情報管理システムは、請求項１または２に記載の機器情報管理システムであって、蓄積手段に蓄積される機器情報が外部に対して送信される。
ここでは、蓄積手段に蓄積される機器情報が外部に対して送信される。つまり、情報量の低減された機器情報が外部に対して送信される。このため、機器情報の通信に要する時間が低減される。
【０００９】
請求項４に係る機器情報管理システムは、請求項１または２に記載の機器情報管理システムであって、現在の時系列情報と直前の時系列情報とが非同一の場合に、判断手段が現在の機器情報を蓄積手段に対して送信すると判断する。また、現在の時系列情報と直前の時系列情報とが同一の場合には、判断手段は現在の機器情報を蓄積手段に対して送信しないと判断する。
【００１０】
ここでは、現在の時系列情報と直前の時系列情報とが非同一の場合に、判断手段は現在の機器情報を蓄積手段に対して送信すると判断する。つまり、現在の機器情報が直前の機器情報と比べて変化した場合に、判断手段が現在の機器情報を蓄積手段に対して送信すると判断する。このため、直前の機器情報と比べて変化がある機器情報のみが蓄積手段に対して送信される。その結果、蓄積手段に送信される機器情報の情報量が低減される。
【００１１】
請求項５に係る機器情報管理システムは、請求項１から４のいずれかに記載の機器情報管理システムであって、機器情報が取得される時刻の間隔が一定である。
ここでは、機器情報が取得される時刻の間隔が一定であるため、時系列情報の取得された時刻情報の情報量が低減される。その結果として、設備機器の機器情報の情報量が低減される。
【００１２】
請求項６に係る設備機器の管理システムは、請求項１から５のいずれかに記載の機器情報管理システムであって、圧縮手段をさらに備える。圧縮手段は、機器情報を圧縮する。
ここでは、機器情報がさらに圧縮手段によって圧縮される。このため、設備機器の機器情報の情報量が低減される。
【００１３】
請求項７に係る機器情報取得装置は、設備機器の時系列情報を含む機器情報を管理するための機器情報取得装置であって、取得手段と、比較手段と、蓄積手段と、判断手段とを備える。取得手段は、機器情報を取得する。比較手段は、現在の時系列情報と直前の時系列情報とを比較する。蓄積手段は、機器情報を蓄積することができる。判断手段は、現在の時系列情報と直前の時系列情報とが非同一の場合に、現在の機器情報を蓄積手段に蓄積すると判断する。さらに、判断手段は、現在の時系列情報と直前の時系列情報とが同一の場合には、現在の機器情報を蓄積手段に蓄積しないと判断する。
【００１４】
ここでは、判断手段は、現在の機器情報と直前の機器情報とが非同一の場合に蓄積手段に現在の機器情報を蓄積すると判断する。また、判断手段は、現在の時系列情報と直前の時系列情報とが同一の場合には蓄積手段に現在の機器情報を蓄積しないと判断する。つまり、判断手段は、現在の時系列情報が直前の時系列情報と比べて変化した場合に蓄積手段に現在の機器情報を蓄積すると判断する。そして、判断手段は、現在の時系列情報が直前の時系列情報と比べて変化がない場合には蓄積手段に現在の機器情報を蓄積しないと判断する。このため、直前の時系列情報と比べて変化がある時系列情報を含む機器情報のみが蓄積手段に蓄積される。その結果、設備機器の機器情報の情報量が低減される。
【００１５】
請求項８に記載の機器情報取得装置は、請求項７に記載の機器情報取得装置であって、蓄積手段に蓄積される機器情報を外部に対して送信する送信手段をさらに備える。
ここでは、蓄積手段に蓄積される機器情報が外部に対して送信される。つまり、情報量の低減された機器情報が外部に対して送信される。このため、機器情報の通信に要する時間が低減される。
【００１６】
請求項９に係る機器情報量低減方法は、設備機器の時系列情報を含む機器情報を管理するための機器情報量低減方法であって、第１ステップと、第２ステップと、第３ステップとを備える。第１ステップでは、機器情報を取得する。第２ステップでは、現在の時系列情報と直前の時系列情報とを比較する。第３ステップでは、現在の時系列情報と直前の時系列情報とが非同一の場合に現在の機器情報を蓄積手段に蓄積すると判断し、現在の時系列情報と直前の時系列情報とが同一の場合には現在の機器情報を蓄積手段に蓄積しないと判断する。
【００１７】
ここでは、現在の機器情報と直前の機器情報とが非同一の場合に蓄積手段に現在の機器情報を蓄積すると判断する。また、現在の時系列情報と直前の時系列情報とが同一の場合には蓄積手段に現在の機器情報を蓄積しないと判断する。つまり、現在の時系列情報が直前の時系列情報と比べて変化した場合に蓄積手段に現在の機器情報を蓄積すると判断する。そして、現在の時系列情報が直前の時系列情報と比べて変化がない場合には蓄積手段に現在の機器情報を蓄積しないと判断する。このため、直前の時系列情報と比べて変化がある時系列情報を含む機器情報のみが蓄積手段に蓄積される。その結果、設備機器の機器情報の情報量が低減される。
【００１８】
請求項１０に係る機器情報管理システムは、設備機器の時系列情報を含む機器情報を管理する機器情報管理システムであって、取得手段と、蓄積手段と、送信手段と、比較手段と、判断手段とを備える。取得手段は、機器情報を取得する。蓄積手段は、取得手段により取得される機器情報を蓄積する。送信手段は、蓄積手段に蓄積される機器情報を外部に対して送信可能である。比較手段は、蓄積手段に蓄積される或る時系列情報とその直前の時系列情報とを比較する。判断手段は、或る時系列情報とその直前の時系列情報とが非同一の場合に、或る時系列情報を含む機器情報を外部に対して送信すると判断する。さらに、判断手段は、或る時系列情報とその直前の時系列情報とが同一の場合には、或る時系列情報を含む機器情報を外部に対して送信しないと判断する。
【００１９】
この機器情報管理システムでは、まず、取得手段により機器情報が取得される。取得手段により取得される機器情報が、蓄積手段に蓄積される。そして、蓄積手段に蓄積される或る時系列情報が、比較手段によりその直前の時系列情報と比較される。或る時系列情報とその直前の時系列情報とが非同一の場合に、判断手段によって、或る時系列情報を含む機器情報が外部に対して送信されると判断される。また、或る時系列情報とその直前の時系列情報とが同一の場合には、判断手段によって、或る時系列情報を含む機器情報が外部に対して送信されないと判断される。
【００２０】
ここでは、判断手段は、或る時系列情報とその直前の時系列情報とが非同一の場合に、或る時系列情報を含む機器情報を外部に対して送信すると判断する。また、或る時系列情報とその直前の時系列情報とが同一の場合には、判断手段は或る時系列情報を含む機器情報を外部に対して送信しないと判断する。つまり、判断手段は、或る時系列情報とその直前の時系列情報とを比べて変化した場合に、或る時系列情報を含む機器情報を外部に対して送信すると判断する。そして、判断手段は、或る時系列情報とその直前の時系列情報と比べて変化がない場合には或る時系列情報を含む機器情報を外部に対して送信しないと判断する。このため、直前の時系列情報と比べて変化がある時系列情報を含む機器情報のみが外部に送信される。その結果、機器情報の通信時における情報量および通信時間が低減される。
【００２１】
請求項１１に係る機器情報取得装置は、設備機器の時系列情報を含む機器情報を管理する機器情報取得装置であって、取得手段と、蓄積手段と、送信手段と、比較手段と、判断手段とを備える。取得手段は、機器情報を取得する。蓄積手段は、取得手段により取得される機器情報を蓄積する。送信手段は、蓄積手段に蓄積される機器情報を外部に対して送信可能である。比較手段は、蓄積手段に蓄積される或る時系列情報とその直前の時系列情報とを比較する。判断手段は、或る時系列情報とその直前の時系列情報とが非同一の場合に、或る時系列情報を含む機器情報を外部に対して送信すると判断する。さらに、判断手段は、或る時系列情報とその直前の時系列情報とが同一の場合には、或る時系列情報を含む機器情報を外部に対して送信しないと判断する。
【００２２】
この機器情報取得装置では、まず、取得手段により機器情報が取得される。取得手段により取得される機器情報が、蓄積手段に蓄積される。そして、蓄積手段に蓄積される或る時系列情報が、比較手段によりその直前の時系列情報と比較される。或る時系列情報とその直前の時系列情報とが非同一の場合に、判断手段によって、或る時系列情報を含む機器情報が外部に対して送信されると判断される。また、或る時系列情報とその直前の時系列情報とが同一の場合には、判断手段によって、或る時系列情報を含む機器情報が外部に対して送信されないと判断される。
【００２３】
ここでは、判断手段は、或る時系列情報とその直前の時系列情報とが非同一の場合に、或る時系列情報を含む機器情報を外部に対して送信すると判断する。また、或る時系列情報とその直前の時系列情報とが同一の場合には、判断手段は或る時系列情報を含む機器情報を外部に対して送信しないと判断する。つまり、判断手段は、或る時系列情報とその直前の時系列情報とを比べて変化した場合に、或る時系列情報を含む機器情報を外部に対して送信すると判断する。そして、判断手段は、或る時系列情報とその直前の時系列情報と比べて変化がない場合には或る時系列情報を含む機器情報を外部に対して送信しないと判断する。このため、直前の時系列情報と比べて変化がある時系列情報を含む機器情報のみが外部に送信される。その結果、機器情報の通信時における情報量および通信時間が低減される。
【００２４】
請求項１２に係る機器情報量低減方法は、設備機器の時系列情報を含む機器情報を管理する機器情報量低減方法であって、第１ステップと、第２ステップと、第３ステップと、第４ステップとを備える。第１ステップでは、機器情報を取得する。第２ステップでは、取得された機器情報を蓄積する。第３ステップでは、蓄積された或る時系列情報とその直前の時系列情報とを比較する。第４ステップでは、或る時系列情報とその直前の時系列情報とが非同一の場合に、或る時系列情報を含む機器情報を外部に送信すると判断する。また、第４ステップでは、或る時系列情報とその直前の時系列情報とが同一の場合には、或る時系列情報を含む機器情報を外部に送信すると判断する。
【００２５】
ここでは、或る時系列情報とその直前の時系列情報とが非同一の場合に、或る時系列情報を含む機器情報を外部に対して送信すると判断する。また、或る時系列情報とその直前の時系列情報とが同一の場合には、或る時系列情報を含む機器情報を外部に対して送信しないと判断する。つまり、或る時系列情報とその直前の時系列情報とを比べて変化した場合に、或る時系列情報を含む機器情報を外部に対して送信すると判断する。そして、或る時系列情報とその直前の時系列情報と比べて変化がない場合には或る時系列情報を含む機器情報を外部に対して送信しないと判断する。このため、直前の時系列情報と比べて変化がある時系列情報を含む機器情報のみが外部に送信される。その結果、機器情報の通信時における情報量および通信時間が低減される。
【００２６】
【発明の実施の形態】
＜物流サイクルの情報管理システム８００＞
本発明の一実施形態に係る物流サイクルの情報管理システム８００の概要構成を、図１に示す。この物流サイクルの情報管理システム８００は、主に、保冷庫１と搬送用車輌３０１とカミサリー１０１と店舗２０１と管理センタ４０１から構成される。
【００２７】
＜保冷庫１＞
図２および図３に、本システム８００に用いられる保冷庫１を示す。保冷庫１は、食品などの搬送・保管時に低温を維持する必要がある物品を内部に収納し、物品を収納したまま店舗２０１などの供給先に納品される。
図２に示されるように、保冷庫１は、筐体２と、筐体２の前面に開閉自在に取り付けられるドア３と、筐体２の下面に取り付けられる移動用のキャスター部４とを備えている。筐体２は、断熱性の高い材料で構成されており、ドア３を閉止した場合に内部が気密状態を維持するように構成される。また、保冷庫１は、各種情報を表示するための表示部や操作ボタン等を有する操作パネル５と、電源供給を受けるための電源レセプタクル６とを備えている。操作パネル５の表示部には、庫内の温度や、配送先等の情報が表示されるようになっている。
【００２８】
また、図３に示されるように、筐体２の内部は物品を収納するための収納用空間７を備えており、収納用空間７内を低温に維持するための蓄冷剤８が設けられている。収納用空間７の上部には、蓄冷剤８を冷却するための圧縮機９と、保冷庫１内の各部を制御するための制御部１０が設けられている。
電源レセプタクル６には、物品供給元であるカミサリー１０１（一次加工工場）や物品供給先である店舗２０１から電源線が接続され、圧縮機９への電源供給を行うとともに、制御部１０のバックアップ電源への充電が行われる。
【００２９】
〔制御部１０〕
制御部１０の概略構成を図４に示す。
制御部１０は、マイクロプロセッサであるＣＰＵ１１、基本的な制御プログラムなどを格納するＲＯＭ１２、各種パラメータなどを一時的に格納するＲＡＭ１３、通信手段１４、記憶手段１５などを備えている。
【００３０】
さらに、ＣＰＵ１１には、圧縮機駆動部１６、操作パネル駆動部１７、温度センサ１８および開閉センサ１９などの各種のセンサ、バーコードリーダ２０などが接続されている。圧縮機駆動部１６は、蓄冷剤８の冷却を行う際に圧縮機９の制御を行うものである。操作パネル駆動部１７は、操作パネル５に設けられるＬＥＤや液晶表示パネルなどを制御するものであり、庫内温度、モード、警告表示などの必要に応じた表示制御を行う。各種のセンサは、保冷庫に関する各種の情報（以下「保冷庫情報」という）を取得するためのセンサである。温度センサ１８は、保冷庫１内の温度に関する温度情報を取得するセンサであり、収納用空間７に配置される。そして、温度センサ１８は、５分ごとに温度情報を取得し、取得した温度情報を逐次ＣＰＵ１１に送出する。この温度情報には、保冷庫１内の温度とその温度が計測された時刻とが含まれる。開閉センサ１９は、ドア３が筐体２に対して密閉状態であるか否かを検出するためのセンサである。開閉センサ１９は、５分ごとにドア開閉情報を取得し、取得したドア開閉情報を逐次ＣＰＵ１１に送出する。このドア開閉情報には、ドア３の密閉状態（密閉しているか否か）とその状態が検出された時刻とが含まれる。バーコードリーダ２０は、カミサリー１０１において出荷される際に、庫内に積載される物品リストを入力するためのものである。
【００３１】
通信手段１４は、後述するコンテナ内に設けられた中継通信ユニットとの間で近距離通信が可能な無線通信手段であり、特定小電力無線、Ｂｌｕｅｔｏｏｔｈ、ＨｏｍｅＲＦ、ＩＥＥＥ８０２．１１Ｂなどの電波を用いた無線通信手段やＩｒＤＡなどの赤外線を用いた無線通信手段を用いることができる。
記憶手段１５は、ＣＰＵ１１の指令に応じて、温度センサ１８により取得される温度情報、開閉センサ１９により取得されるドア開閉情報、供給元において入力される物品や配送先に関するデータ、内部の物品に関する状態情報などの各種データを格納する。記憶手段１５は、ＲＡＭ１３と共用することも可能であり、ＥＥＰＲＯＭやフラッシュメモリなどの書換可能なＲＯＭを用いることも可能である。さらに、記憶手段１５は、ハードディスク（ＨＤ）、フレキシブルディスク（ＦＤ）、光磁気ディスク（ＭＯ）などの記録媒体に読み書きするドライブを用いることも可能である。また、記憶手段１５において、保冷庫情報は記述形式が柔軟でかつ拡張可能な言語の形式に変換される。これらの言語としては、タグ付きの値を持つ構造体や図５に示されるようなＸＭＬなどがある。さらに、この変換された保冷庫情報は、ＧＺＩＰなどによりファイル圧縮が行われた形式で記憶手段１５に格納される。
【００３２】
また、物流サイクル中においては、多数の保冷庫１が搬送されるが、各保冷庫１には個々を識別するための識別コード（ＩＤ）が付されており、各部との通信には、このＩＤが利用される。
なお、本実施形態においては、保冷庫１に関する保冷庫情報を取得するために温度センサ１８と開閉センサ１９とを用いている。これに加えて、通信手段において用いられる無線手段の電界強度を測定する電界強度計、保冷庫１の状態異常を検出する異常検出装置などを用いてもよい。これらの場合においても、取得される保冷庫情報には、保冷庫１の状態を示す保冷庫状態情報と保冷庫状態情報が取得された時刻の情報（時刻情報）とが含まれる。
【００３３】
また、本実施形態においては、温度センサ１８と開閉センサ１９とが５分ごとに保冷庫情報を取得するよう構成されている。これに代えて、一定時間毎に保冷庫情報を取得するように、これらのセンサを構成してもよい。さらに、所定の時刻に保冷庫情報を取得するように、これらのセンサを構成してもよい。
また、本実施形態においては、温度センサは保冷庫内の一点の温度情報を取得している。これに代えて、温度センサが保冷庫内の複数点の温度情報を取得してもよい。
【００３４】
＜搬送用車輌３０１＞
図６に搬送用車輌３０１の模式図を示す。
この車輌３０１は、荷台部分にコンテナ３０２を有しており、このコンテナ３０２内に複数の保冷庫１が搭載されている。また、ドライバーの認識しやすい位置に、カミサリー１０１や店舗２０１に設けられた通信手段と無線による近距離通信が可能な車載通信ユニット３１０が搭載されている。そして、コンテナ３０２内には、車載通信ユニット３１０と有線による通信が可能な中継通信ユニット３１１が設置されており、この中継通信ユニット３１１は保冷庫１の通信手段１４との間で無線による近距離通信が可能となっている。
【００３５】
車載通信ユニット３１０には制御部が設けられており、この制御部には、マイクロプロセッサであるＣＰＵ、基本的な制御プログラムなどを格納するＲＯＭ、各種パラメータなどを一時的に格納するＲＡＭ、通信手段、操作パネル等が設けられている。そして、ＲＡＭには、カミサリー１０１において入力される物品や配送先に関するデータ、搬送中及び供給先における保冷庫１の状態情報や内部の物品に関する状態情報などの各種データが格納されるようになっている。
【００３６】
以上のような車載通信ユニット３１０では、保冷庫１の通信手段１４から中継通信ユニット３１１を介して送信される異常通報や温度情報などを受信することが可能であり、またこの保冷庫１から受信した情報をカミサリー１０１や店舗２０１などに送信することが可能である。
＜カミサリー１０１＞
次に、カミサリー１０１の構成について説明する（図１参照）。
【００３７】
カミサリー１０１には、保冷庫１に搭載されている通信手段１４との間でデータの送受信が可能であるとともに、インターネットなどを介して管理センター４０１とのデータの送受信が可能なカミサリー通信ユニット１１０が設置されている。このカミサリー通信ユニット１１０は、保冷庫１の通信手段１４との通信が可能な特定小電力無線等のローカルエリア通信手段を備えている。そして、この通信手段による通信が可能な近距離に保冷庫１が存在する場合に、カミサリー通信ユニット１１０は、自動的に通信を確立しデータの送受信を行うようにあるいは保冷庫１からの要求に応じてデータの送受信を行うように構成される。また、カミサリー通信ユニット１１０はカミサリー１０１内に設置されたルータやモデムなどを介してインターネット接続が可能な通信機能を備えており、必要に応じて管理センター４０１とのデータ送受信を行うように構成されている。
【００３８】
保冷庫１内に積み込まれる物品３０には、数量（個数、重量等）、積込日時、食材種類、鮮度計により計測されたＫ値、カミサリー番号、庫内温度などがバーコード化されたバーコードシール３１が貼着される。保冷庫１に積み込まれる物品が食品である場合には、鮮度計によりＫ値の測定を行い、積込時の初期Ｋ値として記録される。このＫ値や食材種類などのデータがバーコード化される。
【００３９】
＜店舗２０１＞
次に、店舗２０１の構成について説明する（図１参照）。
店舗２０１には、保冷庫１に搭載されている通信手段１４との間でデータの送受信が可能であるとともに、インターネットなどを介して管理センター４０１とのデータの送受信が可能な店舗通信ユニット２１０が設置されている。店舗通信ユニット２１０は、カミサリー通信ユニット１１０と同様の構成であり、車載通信ユニット３１０との通信が可能な無線通信手段を備えている。この無線通信手段による通信が可能な近距離に車載通信ユニット３１０が存在する場合に、自動的に通信を確立しデータの送受信を行うように構成される。また、店舗通信ユニット２１０は店舗２０１内に設置されたルータやモデムなどを介してインターネット接続が可能な通信機能を備えており、必要に応じて管理センター４０１とのデータ送受信を行うように構成されている。
【００４０】
＜管理センタ４０１＞
管理センタ４０１は、保冷庫１の保冷庫情報をカミサリー１０１および店舗２０１から受信し、保冷庫情報の管理を行う。管理センタ４０１において、この保冷庫情報を元に温度管理情報や物品の鮮度管理情報などが作成される。そして、これらの情報が、物流サイクルを管理する物流本部６０１や店舗２０１の経営管理を行う店舗管理本部７０１などに提供される。
【００４１】
＜物流サイクルの概要＞
保冷庫１内に積み込まれる物品３０には、数量（個数、重量等）、積込日時、カミサリー番号、庫内温度などがバーコード化されたバーコードシール３１が貼着される。出荷時には、図１に示すように、バーコードリーダ２０によって各物品３０のバーコードシール３１のデータを読み込み、記憶手段１５（図４参照）に格納する。また、各保冷庫１についての配送先の情報に関するテーブルが、車載通信ユニット３１０の制御部に書き込まれる。
【００４２】
物品３０の収納が完了した保冷庫１は、トラックなどの搬送用車輌３０１に積み込まれて出荷される。そして、温度センサ１８及び開閉センサ１９により、搬送中の保冷庫の温度情報やドア開閉情報の取得が開始される。これらの情報の取得については、後に詳述する。
搬送用車輌３０１が供給先である店舗２０１付近に到着すると、車載通信ユニット３１０は店舗通信ユニット２１０と通信可能となる。このとき、店舗通信ユニット２１０は、自動的に通信を確立しあるいは保冷庫１からの要求に応じて保冷庫情報の送受信を行う。店舗２０１では、物品３０が保冷庫１の内部に収納されたまま搬送用車輌３０１から下ろされて、保冷庫１ごと納品される。ここでは、保冷庫１からは、搬送中の保冷庫１に関する保冷庫情報やカミサリー１０１で入力されたバーコード情報などを記憶手段１５から読み出して店舗通信ユニット２１０に送信する。
【００４３】
店舗２０１において物品３０が消費された後、または契約に基づく保冷庫１の回収期限になると、保冷庫１は搬送用車輌３０１に積み込まれてカミサリー１０１に回収される。搬送用車輌３０１が店舗２０１を離れると、車載通信ユニット３１０と店舗通信ユニット２１０との間の通信は自動的に終了する。
その後、運搬用車輌３０１がカミサリー１０１に到着すると、保冷庫１の通信手段１４がカミサリー通信ユニット１１０と通信を開始する。ここで、保冷庫１の通信手段１４は記憶手段１５に格納されている保冷庫情報を読み出してカミサリー通信ユニット１１０に送信し、故障情報がある場合には同時にこの情報についてもカミサリー通信ユニット１１０に送信する。
【００４４】
カミサリー通信ユニット１１０は、受信した保冷庫情報および故障情報などを管理センター４０１に送信する。
管理センター４０１では、受信した保冷庫情報を分析して、鮮度管理情報などを生成し、この物流サイクルを管理している物流本部６０１や店舗２０１の経営管理を行っている店舗管理本部７０１に情報提供する。また、故障情報を受信した場合には、メンテナンスを担当するサービスセンター５０１に連絡して適切な処理を手配する。
【００４５】
＜保冷庫情報の管理＞
以下、保冷庫情報を管理する流れについて説明する。
まず、保冷庫１の温度情報の取得について説明する。図７に、保冷庫１の温度情報を取得する際のフローを示す。
搬送用車輌３０１がカミサリー１０１を出発する際に、温度センサ１８が保冷庫１の温度情報を取得する（ステップＳ１０１）。そして、温度センサ１８は、この出発時の温度情報をＣＰＵ１１に送出する（ステップＳ１０２）。ＣＰＵ１１は、出発時の温度情報を受信し、出発時の温度情報をＲＡＭに一時的に保持させる（ステップＳ１０３）。さらに、ＣＰＵ１１は、記憶手段１５に出発時の温度情報を格納する（ステップＳ１０４）。５分後、温度センサ１８が、保冷庫１の温度情報を取得する（ステップＳ１０５）。そして、温度センサ１８は、この５分後の温度情報をＣＰＵ１１に送出する（ステップＳ１０６）。ＣＰＵ１１は、５分後の温度情報を受信し、５分後の温度情報をＲＡＭに一時的に保持する（ステップＳ１０７）。そして、ＣＰＵ１１は、出発時の温度情報に含まれる出発時の保冷庫１内の温度と５分後の温度情報に含まれる５分後の保冷庫１内の温度とを比較する（ステップＳ１０８）。出発時の保冷庫１内の温度と５分後の保冷庫１内の温度とが同じ場合には、ＣＰＵ１１は５分後の温度情報を記憶手段に格納しない（ステップＳ１０９）。出発時の保冷庫１内の温度と５分後の保冷庫１内の温度とが異なる場合には、ＣＰＵ１１は出発時の温度情報に加えて５分後の温度情報を記憶手段１５に格納する（ステップＳ１１０）。さらに５分後、温度センサ１８が、保冷庫１の温度情報を取得する（ステップＳ１１１）。以下、温度センサ１８、ＣＰＵ１１および記憶手段１５は、搬送用車輌３０１が店舗２０１に到着するまで上記の動作を繰り返す（ステップＳ１１２）。
【００４６】
次に、保冷庫１のドア開閉情報の取得について説明する。図８に、保冷庫１のドア開閉情報を取得する際のフローを示す。
搬送用車輌３０１がカミサリー１０１を出発する際に、開閉センサ１９が保冷庫１のドア開閉情報を取得する（ステップＳ２０１）。そして、開閉センサ１９は、この出発時のドア開閉情報をＣＰＵ１１に送出する（ステップＳ２０２）。ＣＰＵ１１は、出発時のドア開閉情報を受信し、出発時のドア開閉情報をＲＡＭに一時的に保持させる（ステップＳ２０３）。さらに、ＣＰＵ１１は、出発時のドア開閉情報を記憶手段１５に格納させる（ステップＳ２０４）。５分後、開閉センサ１９が、保冷庫１のドア開閉情報を取得する（ステップＳ２０５）。そして、開閉センサ１９は、この５分後のドア開閉情報をＣＰＵ１１に送出する（ステップＳ２０６）。ＣＰＵ１１は、５分後のドア開閉情報を受信し、５分後のドア開閉情報をＲＡＭに一時的に保持させる（ステップＳ２０７）。そして、ＣＰＵ１１は、出発時のドア３の開閉状態と５分後のドア３の開閉状態とを比較する（ステップＳ２０８）。出発時のドア３の開閉状態と５分後のドア３の開閉状態とが同じ場合には、ＣＰＵ１１は５分後のドア開閉情報を記憶手段１５に格納しない（ステップＳ２０９）。出発時のドア３の開閉状態と５分後のドア３の開閉状態とが異なる場合には、ＣＰＵ１１は出発時のドア開閉情報に加えて５分後のドア開閉情報を記憶手段１５に格納する（ステップＳ２１０）。さらに５分後、開閉センサ１９が、保冷庫１のドア開閉情報を取得する（ステップＳ２１１）。以下、開閉センサ１９、ＣＰＵ１１および記憶手段１５は、搬送用車輌３０１が店舗２０１に到着するまで上記の動作を繰り返す。
【００４７】
＜本システムの特徴＞
（１）
このシステムでは、現在の保冷庫１内の温度と５分前の保冷庫１内の温度とが同じ場合には、ＣＰＵ１１は５分後の温度情報を記憶手段１５に格納しない。現在の保冷庫１内の温度と５分前の保冷庫１内の温度とが異なる場合には、ＣＰＵ１１は現在の温度情報を記憶手段１５に格納する。つまり、現在の保冷庫１内の温度が５分前の保冷庫１内の温度と比べて変化した場合にのみ、ＣＰＵ１１は現在の温度情報を記憶手段１５に格納する。このため、記憶手段１５に格納される温度情報の情報量が低減される。また、ドア開閉情報についても、同様に記憶手段１５に格納されるドア開閉情報の情報量が低減される。
【００４８】
（２）
このシステムでは、上記のように保冷庫情報の情報量が低減される。この保冷庫情報が、記憶手段１５に格納される。このため、保冷庫情報を記憶手段１５に格納するために必要な記憶領域を節約することができる。また、この保冷庫情報が、店舗通信ユニット２１０またはカミサリー通信ユニット１１０を介して、管理センタ４０１に送信される。このため、この通信に要する時間が低減される。
【００４９】
（３）
このシステムでは、温度センサ１８と開閉センサ１９とが、５分ごとに保冷庫情報を取得している。さらに、保冷庫情報は、記述形式が柔軟でかつ拡張可能な言語の形式に変換されて記憶手段１５に格納される。このため、すべての取得点についての時刻情報を記憶手段１５に格納する必要がなくなる。このため、取得時刻に関する情報の情報量が削減される。その結果、記憶手段１５に格納される保冷庫情報の情報量が削減される。
【００５０】
（４）
このシステムでは、ＧＺＩＰなどによりファイル圧縮が行われた後に、温度情報とドア開閉情報とが記憶手段１５に格納される。このため、記憶手段１５に格納されるこれらの情報の情報量が低減される。また、その後、温度情報とドア開閉情報とが管理センタ４０１に送信される際に、通信に要する時間が低減される。
【００５１】
（５）
このシステムでは、温度情報とドア開閉情報とが、拡張可能な言語の形式で管理センタ４０１に送信される。このため、管理センタ４０１でこれらの情報を再現する際の再現性が高まる。
（６）
このシステムでは、保冷庫情報にこれらの情報を検出した時刻の情報も含まれている。このため、保冷庫情報を検出した時刻が明確になる。その結果、保冷庫情報の推移を把握する確実性が高まる。
【００５２】
なお、本実施形態においては、現在の保冷庫情報と５分前の保冷庫情報とが異なる場合に、現在の保冷庫情報が記憶手段１５に格納される。これに代えて、現在の保冷庫情報と５分前の保冷庫情報とが異なる場合に、現在の保冷庫情報が管理センタ４０１に送信されるように構成してもよい。この場合、保冷庫１は保冷庫情報を格納する記憶手段１５を有さず、管理センタ４０１に保冷庫情報を格納するための記憶手段が設けられる。このシステムにおいては、現在の保冷庫情報と５分前の保冷庫情報とが異なる場合に、現在の保冷庫情報が管理センタ４０１に送信される。その結果、管理センタ４０１に送信される保冷庫情報の情報量が低減される。そして、温度情報とドア開閉情報とが管理センタ４０１に送信される際に、通信に要する時間が低減される。また、管理センタ４０１に設けられた記憶手段に保冷庫情報を格納するために必要な記憶領域を節約することができる。
【００５３】
＜他の実施の形態＞
（１）
上記実施形態では、温度センサ１８および開閉センサ１９において、保冷庫１内の温度とドア３の密閉状態とこれらの情報が検出された時間を取得している。これに代えて、温度センサ１８および開閉センサ１９においては、保冷庫１内の温度とドア３の密閉状態のみを検出しても良い。この場合、これらの情報を定期的に管理センタ４０１に対して送信し、これらの情報が検出された時間を管理センタ４０１において補完することにより、上記実施形態において得られる温度情報およびドア開閉情報と同様の情報が得られる。また、この場合には、記憶手段１５には保冷庫１内の温度とドア３の密閉状態のみが格納されるため、記憶手段１５に格納されるこれらの情報の情報量が低減される。さらに、これらの情報が管理センタ４０１に送信される際の通信時間が低減される。
【００５４】
（２）
上記実施の形態では、現在の保冷庫１内の温度が５分前の保冷庫１内の温度と比べて変化した場合にのみ、ＣＰＵ１１は現在の温度情報を記憶手段１５に格納する。これに代えて、温度センサ１８が検出した温度情報を全て記憶手段１５に格納させ、温度情報の送信時に直前の保冷庫１内の温度と比べて変化のある温度情報のみを送信しても良い。この場合、直前の保冷庫１内の温度と比べて変化のある温度情報のみが送信されるため、通信時における温度情報の情報量および通信時間が低減される。
【００５５】
また、ドア開閉情報についても、同様に通信時におけるドア開閉情報の情報量および通信時間が低減される。
【００５６】
【発明の効果】
請求項１に係る発明では、判断手段は、現在の機器情報と直前の機器情報とが非同一の場合に蓄積手段に現在の機器情報を蓄積すると判断する。また、判断手段は、現在の時系列情報と直前の時系列情報とが同一の場合には蓄積手段に現在の機器情報を蓄積しないと判断する。つまり、判断手段は、現在の時系列情報が直前の時系列情報と比べて変化した場合に蓄積手段に現在の機器情報を蓄積すると判断する。そして、判断手段は、現在の時系列情報が直前の時系列情報と比べて変化がない場合には蓄積手段に現在の機器情報を蓄積しないと判断する。このため、直前の時系列情報と比べて変化がある時系列情報を含む機器情報のみが蓄積手段に蓄積される。その結果、設備機器の機器情報の情報量が低減される。
【００５７】
請求項２に係る発明では、機器情報が時系列情報の取得される時刻情報を含む。つまり、時系列情報が取得された時刻が明らかになる。このため、時系列情報の推移を把握する確実性が高まる。
請求項３に係る発明では、蓄積手段に蓄積される機器情報が外部に対して送信される。つまり、情報量の低減された機器情報が外部に対して送信される。このため、機器情報の通信に要する時間が低減される。
【００５８】
請求項４に係る発明では、現在の時系列情報と直前の時系列情報とが非同一の場合に、判断手段は現在の機器情報を蓄積手段に対して送信すると判断する。つまり、現在の機器情報が直前の機器情報と比べて変化した場合に、判断手段が現在の機器情報を蓄積手段に対して送信すると判断する。このため、直前の機器情報と比べて変化がある機器情報のみが蓄積手段に対して送信される。その結果、蓄積手段に送信される機器情報の情報量が低減される。
【００５９】
請求項５に係る発明では、機器情報が取得される時刻の間隔が一定であるため、時系列情報の取得された時刻情報の情報量が低減される。その結果として、設備機器の機器情報の情報量が低減される。
請求項６に係る発明では、機器情報がさらに圧縮手段によって圧縮される。このため、設備機器の機器情報の情報量が低減される。
【００６０】
請求項７に係る発明では、判断手段は、現在の機器情報と直前の機器情報とが非同一の場合に蓄積手段に現在の機器情報を蓄積すると判断する。また、判断手段は、現在の時系列情報と直前の時系列情報とが同一の場合には蓄積手段に現在の機器情報を蓄積しないと判断する。つまり、判断手段は、現在の時系列情報が直前の時系列情報と比べて変化した場合に蓄積手段に現在の機器情報を蓄積すると判断する。そして、判断手段は、現在の時系列情報が直前の時系列情報と比べて変化がない場合には蓄積手段に現在の機器情報を蓄積しないと判断する。このため、直前の時系列情報と比べて変化がある時系列情報を含む機器情報のみが蓄積手段に蓄積される。その結果、設備機器の機器情報の情報量が低減される。
【００６１】
請求項８に係る発明では、蓄積手段に蓄積される機器情報が外部に対して送信される。つまり、情報量の低減された機器情報が外部に対して送信される。このため、機器情報の通信に要する時間が低減される。
請求項９に係る発明では、ここでは、現在の機器情報と直前の機器情報とが非同一の場合に蓄積手段に現在の機器情報を蓄積すると判断する。また、現在の時系列情報と直前の時系列情報とが同一の場合には蓄積手段に現在の機器情報を蓄積しないと判断する。つまり、現在の時系列情報が直前の時系列情報と比べて変化した場合に蓄積手段に現在の機器情報を蓄積すると判断する。そして、現在の時系列情報が直前の時系列情報と比べて変化がない場合には蓄積手段に現在の機器情報を蓄積しないと判断する。このため、直前の時系列情報と比べて変化がある時系列情報を含む機器情報のみが蓄積手段に蓄積される。その結果、設備機器の機器情報の情報量が低減される。
【００６２】
請求項１０に係る発明では、判断手段は、或る時系列情報とその直前の時系列情報とが非同一の場合に、或る時系列情報を含む機器情報を外部に対して送信すると判断する。また、或る時系列情報とその直前の時系列情報とが同一の場合には、判断手段は或る時系列情報を含む機器情報を外部に対して送信しないと判断する。つまり、判断手段は、或る時系列情報とその直前の時系列情報とを比べて変化した場合に、或る時系列情報を含む機器情報を外部に対して送信すると判断する。そして、判断手段は、或る時系列情報とその直前の時系列情報と比べて変化がない場合には或る時系列情報を含む機器情報を外部に対して送信しないと判断する。このため、直前の時系列情報と比べて変化がある時系列情報を含む機器情報のみが外部に送信される。その結果、機器情報の通信時における情報量および通信時間が低減される。
【００６３】
請求項１１に係る発明では、判断手段は、或る時系列情報とその直前の時系列情報とが非同一の場合に、或る時系列情報を含む機器情報を外部に対して送信すると判断する。また、或る時系列情報とその直前の時系列情報とが同一の場合には、判断手段は或る時系列情報を含む機器情報を外部に対して送信しないと判断する。つまり、判断手段は、或る時系列情報とその直前の時系列情報とを比べて変化した場合に、或る時系列情報を含む機器情報を外部に対して送信すると判断する。そして、判断手段は、或る時系列情報とその直前の時系列情報と比べて変化がない場合には或る時系列情報を含む機器情報を外部に対して送信しないと判断する。このため、直前の時系列情報と比べて変化がある時系列情報を含む機器情報のみが外部に送信される。その結果、機器情報の通信時における情報量および通信時間が低減される。
【００６４】
請求項１２に係る発明では、或る時系列情報とその直前の時系列情報とが非同一の場合に、或る時系列情報を含む機器情報を外部に対して送信すると判断する。また、或る時系列情報とその直前の時系列情報とが同一の場合には、或る時系列情報を含む機器情報を外部に対して送信しないと判断する。つまり、或る時系列情報とその直前の時系列情報とを比べて変化した場合に、或る時系列情報を含む機器情報を外部に対して送信すると判断する。そして、或る時系列情報とその直前の時系列情報と比べて変化がない場合には或る時系列情報を含む機器情報を外部に対して送信しないと判断する。このため、直前の時系列情報と比べて変化がある時系列情報を含む機器情報のみが外部に送信される。その結果、機器情報の通信時における情報量および通信時間が低減される。
【図面の簡単な説明】
【図１】本発明の一実施形態に係る物流サイクルの情報管理システムの概要構成図。
【図２】保冷庫の外観を示す斜視図。
【図３】保冷庫の内部構造を示す構造図。
【図４】制御部の概略構成図。
【図５】ＸＭＬの記述形式を示す説明図。
【図６】搬送用車輌の概略構成を示す模式図。
【図７】保冷庫の温度情報を取得するフロー図。
【図８】保冷庫のドア開閉情報を取得するフロー図。
【符号の説明】
１　　　　　保冷庫（設備機器）
１０　　　　制御部（設備機器の機器情報取得装置）
１１　　　　ＣＰＵ（比較手段）
１４　　　　通信手段（送信手段）
１５　　　　記憶手段（蓄積手段）
１８　　　　温度センサ（取得手段）
１９　　　　開閉センサ（取得手段）
【図１】
2004036948.tif 000003
【図２】
2004036948.tif 000004
【図３】
2004036948.tif 000005
【図４】
2004036948.tif 000006
【図５】
2004036948.tif 000007
【図６】
2004036948.tif 000008
【図７】
2004036948.tif 000009
【図８】
2004036948.tif 000010